(57)【要約】　　　（修正有）【課題】簡単な構造で容易に製作して簡便で多目的に使用することができる発香袋を提供する。【解決手段】透明ウレタンビニール紙２で上層部と下層部とを形成し、上層部と下層部の間に香を内包した圧縮スポンジ６を介在させた上で周縁部３を閉じて全体を一体化して形成した発香袋１。【選択図】　図２
2004089691.tif 000002
【特許請求の範囲】
【請求項１】
多数の微細気孔（４）を形成させた透明ウレタンビニール紙（２）で上層部と下層部とを形成し、両層間に香を内包した圧縮スポンジ（６）を介在させ、周縁部（３）を閉じて全体を一体化して構成したことを特徴とする発香袋。
【請求項２】
発香袋を構成する透明ウレタンビニール紙（２）の上層部には広告文句（１２）が印刷され、底部には接着部（８）を有した剥離可能の保護紙（１０）を付着させたことを特徴とする請求項１記載の発香袋。
【請求項３】
発香袋を女性用ブラジャー（１００）の適正部位に付着させたことを特徴とする請求項１記載の発香袋。
【請求項４】
発香袋（１）をパンツ（ｌ０１）の適正部位に付着させたことを特徴とする請求項１記載の発香袋。
【発明の詳細な説明】
【０００１】
【発明が属する技術分野】
本発明は、透明ウレタンビニール紙で上部層と下部層とを形成し、上記上部層、下部層間に香を内包した圧縮スポンジを介装し、周縁部を圧接、圧着して閉じて一体化した発香袋に関する。本発明の発香袋は、簡単な構造で容易に製作できるとともに、容易に多目的に使用することができることを特徴とし、各種肌着類やアクセサリー等にも容易に付着することができ、また、携帯または着用するハンドバッグ、ネクタイ、靴底、装身具等の身辺日用品の適宜部位に付着させることにより、万人の好みに合う予め選択した芳香を、最低１年は保つようにして周辺雰囲気に快感を与えることができるとともに、又害虫が嫌がる異臭や滅菌性の臭いも発香することもでき、その結果、人体の健康にも有益になるよう提案されたものである。
【０００２】
【従来の技術】
従来、発香及び蛍光ヘアピンとして提案された韓国公開特許第１９９７‐００１９９４６号（１９９７年５月２８日）に於いて、木材や厚紙材を粧飾帯板に形成し、発香物質中に相当時聞浸漬させておき、粧飾帯板に香が含浸されるようにして乾燥させた後、香が含浸された粧飾帯板に蛍光インク等でスクリン印刷するので粧飾帯板に含浸されている残りの香が発散されるようにしている。
【０００３】
この様な、従来の発香及び蛍光ヘアピンは発香が薄く、発香時間も短い欠点があった。
【０００４】
さらに、芳香性のアクセサリーとして韓国登録実用新案公報第２０−０２４４６００号　（２００１年８月１７日）に掲載された考案に於いては、多数の香炉孔が露呈された蓋と本体で構造され、該本体の内部に別途形成のカプセル香料を貯蔵し、カプセル香料から発散される香が蓋の香炉孔を通して発散するようにしている。
【０００５】
この様な、従来の芳香性アクセサリーは、長期間発香の効果は有るが発香容器の物品に限定されるので携帯及び使用が不便という欠点があった。
【０００６】
【発明が解決しようとする課題】
本発明は上記の従来技術の欠点を解消する為に提案された発香袋に関するもので、簡単な構造で容易に製作できるとともに簡便に多目的に使用できることを目的としている。
【０００７】
【実施例】
図１は本発明の斜視図であり、図２は本発明の断面図で、これらを参照しつつ第１の態様を説明する。
【０００８】
多数の微細気孔（４）を形成した透明ウレタンビニール紙（２）で上層部と下層部とを形成し、これら上層部と下層部との間に香を内包した圧縮スポンジ（６）を挿入介在させた上で周縁部３を圧着して全体を一体化して発香袋（１）とするものである。
【０００９】
上記の様に構成された発香袋（１）は、図１および図２からわかるように、多数の微細気孔（４）を形成した所定形状をもつ透明ウレタンビ二一ル紙（２）から形成することができる。
【００１０】
上記所定の形状に形成された透明ウレタンビ二一ル紙（２）の上層部と下層部の間に香を内包した圧縮スポンジ（６）が挿入され周縁部（３）を、所望の幅に熱その他適宜方法により圧接して固着される。この時、上記透明ウレタンビニール紙（２）の上下層間に介在した香を内包した圧縮スポンジ（６）は、予め万人に普遍性のある香りを選択し、好みの芳香度を選択して含浸させるか充填させる。
【００１１】
この様に、香を内包した圧縮スポンジ（６）は透明ウレタンビニール紙（２）の上下層に取り囲まれ、周縁部（３）を閉じられることで発香袋（１）が形成されるように製作するものである。
【００１２】
図３および図４は本発明のその他の実施例を示したもので、上層部に位置する透明ウレタンビ二一ル紙（２）には所定の広告文句（１２）を印刷され、下層部に位置する透明ウレタンビニール紙（２）の底部には接着部（８）を形成した保護紙（１０）を剥離自在に付着させて構成した発香袋（１ａ）とするものである。勿論、広告文句（１２）の印刷と底部の保護紙（１０）とは同時併用でなく、別個におこなうことは自由である。
【００１３】
上記実施例では、発香袋（１）、（１ａ）の形状をほぼ楕円状に形成したが、形状と模様は、四角形、三角形、円形等多様に製作することができる。
【００１４】
従って、図１乃至図４に示した様に、構成された発香袋（１）、（１ａ）を使用するに際して、アクセサリー及び身辺日用品の種類に従い直接埋設するか、接着部（８）を利用し付着させて使用することができるもので、発香袋（１）を構成する透明ウレタンビニール紙（２）に形成された微細気孔（４）を通じて圧縮スポンジ（６）に内包されている香が、外部に発散されて出でくるもので３ヶ月乃至６ヶ月にわたって香を発散させることができ、透明ウレタンビニール紙（２）の被覆により１年までも香を発散させることができる。
【００１５】
図５および図６は夫々本発明の使用状態図を図示したもので、図５は女性らが着用するブラジャー（１００）の適宜部位に本発明の発香袋（１）を埋設し縫着した状態を示したものである。
【００１６】
図６はパンツ（１０１）の適正部位に発香袋（１）を埋設縫着した状態を示すもので、各肌着類の形状、模様、大小に応じて適正部位に埋設し縫針することで使用できる。
【００１７】
尚、本発明の図面には現われていないが、アクセサリー製品とか、室内装身具、身辺日用品に前記第２の実施例で示した様に、透明ウレタンビニール紙（２）の底部に付着形成された保護紙（１０）を剥離して接着部（８）に依り付着させることで、時期と場所を問うことなく簡便、容易に使用することができるのは勿論、透明ウレタンビニール紙（２）の上層部に印刷された広告文句に依り多様な広告をすることができる。
【００１８】
【発明の効果】
この様に本発明は、透明ウレタンビニール紙で上層部と下層部とを形成し、両層部の内側に香を内包した圧縮スポンジを介在して、周縁部を閉じることで一体化して発香袋を形成して、肌着類を含む衣服、または各種アクセサリー製品、室内装身具及び身辺日用品の適正部位に埋設又は付着させて使用するもので、時期と場所を問わずだれでも簡便で容易に使用することができるものである。
【００１９】
この様に使用される本発明は、すべての人に普遍的に好まれるような芳香剤を選択して周囲の雰囲気に快感を与え、又は害虫が嫌がる異臭用の発香剤、および、滅菌性の発香剤を最低１年は発香させることができるもので、使用の結果、周囲の雰囲気に快感を起すことができるのは勿論、生活健康にも有益になる効果が有る。
【図面の簡単な説明】
【図１】本発明の斜視図である。
【図２】図１の断面図である。
【図３】本発明の他の実施例の斜視図である。
【図４】図３の断面図である。
【図５】本発明をブラジャーに埋設縫針した状態を示す使用状態図である。
【図６】本発明をパンツに埋設縫針した状態を示す使用状態図である・
【符号の説明】
１、１ａ　発香袋
２　　透明ウレタンビニール紙
３　　周縁部
４　　微細気孔
６　　圧縮スポンジ
８　　接着部
１０　　保護紙
１２　　広告文句
１００　ブラジャー
１０１　パンツ
【図１】
2004089691.tif 000003
【図２】
2004089691.tif 000004
【図３】
2004089691.tif 000005
【図４】
2004089691.tif 000006
【図５】
2004089691.tif 000007
【図６】
2004089691.tif 000008